(57)【特許請求の範囲】
【請求項１】
便鉢部の上部内面周りに導水路が形成され、
該導水路のうち便鉢部後部側の右寄り又は左寄りの位置に、該導水路に洗浄水を供給するための吐水口が形成され、
該吐水口から導水路を通って便鉢部の上部内面周りに洗浄水が供給され、該導水路から旋回しながら流下する洗浄水によって便鉢部内面が洗浄される洋風便器において、
便鉢部の最前部にあっては、該導水路は、棚部と、該棚部の外周から立上する立上部とからなり、
該導水路のうち該吐水口から該最前部近傍までは、該棚部と、該立上部と、該立上部の上端から便鉢部の内方に突出する棚返し部とで構成されており、
該棚返し部の下面は、最前部近傍において便鉢部前側ほど低くなっていることを特徴とする洋風便器。
【請求項２】
請求項１において、前記最前部近傍における前記立上部の内周面の平面視形状が略円弧形であることを特徴とする洋風便器。
【請求項３】
便鉢部の上部内面周りに導水路が形成され、
該導水路のうち便鉢部後部側の右寄り又は左寄りの位置に、該導水路に洗浄水を供給するための吐水口が形成され、
該吐水口から導水路を通って便鉢部の上部内面周りに洗浄水が供給され、該導水路から旋回しながら流下する洗浄水によって便鉢部内面が洗浄される洋風便器において、
便鉢部の前部は平面視形状が略円弧形であり、便鉢部の該前部の曲率半径は、該前部の両端に連なる便鉢部の２つの側部の長手方向の曲率半径よりも小さくなっており、
便鉢部の該前部の最前部にあっては、該導水路は、棚部と、該棚部の外周から立上する立上部とからなり、
該導水路のうち該吐水口から該最前部近傍までは、該棚部と、該立上部と、該立上部の上端から便鉢部の内方に突出する棚返し部とで構成されていることを特徴とする洋風便器。
【請求項４】
請求項３において、該棚返し部の下面は、導水路長手方向において略同一高さであることを特徴とする洋風便器。
【請求項５】
請求項３において、該棚返し部の下面は、最前部近傍において便鉢部前側ほど低くなっていることを特徴とする洋風便器。
【請求項６】
請求項１ないし５のいずれか１項において、前記便鉢部の２つの側部のうち該吐水口が形成されていない側の側部に設けられた導水路の少なくとも一部は、前記棚部、立上部及び棚返し部とで構成されていることを特徴とする洋風便器。
【請求項７】
請求項１ないし６のいずれか１項において、前記便鉢部の側部は略直線状に前後方向に延在していることを特徴とする洋風便器。
【発明の詳細な説明】
【技術分野】
【０００１】
本発明は洋風便器に係り、とりわけ、便鉢部の上部内面周りに導水路が形成され、該導水路のうち便鉢部後部側の右寄り及び左寄りの一方の位置に、該導水路に洗浄水を供給するための吐水口が形成され、該吐水口から導水路を通って便鉢部の上部内面周りに洗浄水が供給され、該導水路から旋回しながら流下する洗浄水によって便鉢部内面が洗浄される洋風便器に関する。
【背景技術】
【０００２】
洋風便器は、便鉢部の上部内面周りに形成された導水路から便鉢部内に洗浄水を供給することができる構成になっている。即ち、便鉢部の上部内面周りに導水路が形成され、該導水路のうち便鉢部後部側の右寄り及び左寄りの一方の位置に、該導水路に洗浄水を供給するための吐水口が形成され、該吐水口から導水路を通って便鉢部の上部内面周りに洗浄水が供給され、該導水路から旋回しながら流下する洗浄水によって便鉢部内面が洗浄される。
【０００３】
従来の洋風便器にあっては、この導水路は、上向きの棚部と、該棚部の外周から立上する立上部と、該立上部の上端から便鉢部の内方に突出する棚返し部とで構成されている。このように、従来の洋風便器にあっては棚返し部が棚部及び立上部の上方に覆い被さっているため、これら棚部及び立上部が上方から見え難く、清掃が不十分になるおそれがある。
【０００４】
特開２００５−９８００３号公報には、全周にわたり棚返し部の省略された洋風便器が開示されている。
【特許文献１】特開２００５−９８００３号公報
【発明の開示】
【発明が解決しようとする課題】
【０００５】
上記特開２００５−９８００３号公報の洋風便器は棚返し部が無く、また、導水路は便鉢部の上部内面周りに倣ってカーブしていることから、導水路内を走行する洗浄水は遠心力によって洋風便器の外側に飛び出るおそれがある。
【０００６】
本発明は、導水路から洋風便器の外側に洗浄水が飛び出ることが防止され、かつ清掃が容易な洋風便器を提供することを目的とする。
【課題を解決するための手段】
【０００７】
請求項１の洋風便器は、便鉢部の上部内面周りに導水路が形成され、該導水路のうち便鉢部後部側の右寄り又は左寄りの位置に、該導水路に洗浄水を供給するための吐水口が形成され、該吐水口から導水路を通って便鉢部の上部内面周りに洗浄水が供給され、該導水路から旋回しながら流下する洗浄水によって便鉢部内面が洗浄される洋風便器において、便鉢部の最前部にあっては、該導水路は、棚部と、該棚部の外周から立上する立上部とからなり、該導水路のうち該吐水口から該最前部近傍までは、該棚部と、該立上部と、該立上部の上端から便鉢部の内方に突出する棚返し部とで構成されており、該棚返し部の下面は、最前部近傍において便鉢部前側ほど低くなっていることを特徴とするものである。
【０００８】
請求項２の洋風便器は、請求項１において、前記最前部近傍における前記立上部の内周面の平面視形状が略円弧形であることを特徴とするものである。
【０００９】
請求項３の洋風便器は、便鉢部の上部内面周りに導水路が形成され、該導水路のうち便鉢部後部側の右寄り又は左寄りの位置に、該導水路に洗浄水を供給するための吐水口が形成され、該吐水口から導水路を通って便鉢部の上部内面周りに洗浄水が供給され、該導水路から旋回しながら流下する洗浄水によって便鉢部内面が洗浄される洋風便器において、便鉢部の前部は平面視形状が略円弧形であり、便鉢部の該前部の曲率半径は、該前部の両端に連なる便鉢部の２つの側部の長手方向の曲率半径よりも小さくなっており、便鉢部の該前部の最前部にあっては、該導水路は、棚部と、該棚部の外周から立上する立上部とからなり、該導水路のうち該吐水口から該最前部近傍までは、該棚部と、該立上部と、該立上部の上端から便鉢部の内方に突出する棚返し部とで構成されていることを特徴とするものである。
【００１０】
請求項４の洋風便器は、請求項３において、該棚返し部の下面は、導水路長手方向において略同一高さであることを特徴とするものである。
【００１１】
請求項５の洋風便器は、請求項３において、該棚返し部の下面は、最前部近傍において便鉢部前側ほど低くなっていることを特徴とするものである。
【００１２】
請求項６の洋風便器は、請求項１ないし５のいずれか１項において、前記便鉢部の２つの側部のうち該吐水口が形成されていない側の側部に設けられた導水路の少なくとも一部は、前記棚部、立上部及び棚返し部とで構成されていることを特徴とするものである。
請求項７の洋風便器は、請求項１ないし６のいずれか１項において、前記便鉢部の側部は略直線状に前後方向に延在していることを特徴とするものである。
【発明の効果】
【００１３】
便鉢部の上部内面周りに導水路が形成された洋風便器にあっては、導水路の吐水口付近において水量が最も多いため、当該箇所付近で洗浄水が洋風便器の外側に飛び出し易い。また、導水路は該吐水口から前方に延在し、便鉢部の最前部よりも手前において長手方向の曲率が小さくなるため、当該箇所において大きな遠心力が加わって、洗浄水が洋風便器の外側に飛び出し易い。
【００１４】
本発明の洋風便器にあっては、該導水路のうち該吐水口から該最前部近傍までは、棚部と、該棚部の外周から立上する立上部と、該立上部の上端から便鉢部の内方に突出する棚返し部とで構成されている。このため、洗浄水が洋風便器の外側に飛び出ることが確実に防止される。
【００１５】
また、便鉢部の最前部にあっては、該導水路は、棚部と、該棚部の外周から立上する立上部とからなり、棚返し部が形成されていない。このため、洋風便器の上方から棚部及び立上部を目視しながら清掃することができ、清掃が容易である。
【００１６】
この便鉢部の２つの側部のうち吐水口が形成されていない側の側部に設けられた導水路の少なくとも一部も、前記棚部、立上部及び棚返し部とで構成されている場合、該棚返し部の上面に便座の裏面が当接することにより、便座の安定感がよくなる。
【００１７】
この便鉢部の側部が略直線状に前後方向に延在している場合、導水路のうち該便鉢部側部よりも前側において長手方向のカーブが急になり、このカーブが急になる付近において洗浄水が洋風便器の外側に飛び出し易い。しかし、上記の通り吐水口から便鉢部最前部近傍にわたって棚返し部が形成されており、該カーブが急になる部分よりも前側まで棚返し部が形成されているため、導水路から洗浄水が洋風便器の外側に飛び出ることが確実に防止される。
【００１８】
この便鉢部の最前部近傍における前記立上部の内周面の平面視形状が略円弧形である場合、洗浄水が当該箇所を滑らかに走行することができ、導水路から洗浄水が洋風便器の外側に飛び出ることが確実に防止される。
【００１９】
この棚返し部の下面が導水路長手方向において略同一高さである場合、導水路内の清掃が容易である。
【００２０】
この棚返し部の下面が最前部近傍において便鉢部前側ほど低くなっている場合、該最前部近傍において該棚返し部の下面によって導水路内の洗浄水が下向きに跳ね返されるため、導水路から洗浄水が洋風便器の外側に飛び出ることが確実に防止される。
【発明を実施するための最良の形態】
【００２１】
以下、図面を参照して本発明の実施の形態を詳細に説明する。第１図は実施の形態に係る洋風便器の平面図、第２図は第１図のII−II線に沿う断面図、第３図は第１図のIII−III線に沿う断面図、第４図は第１図のIV−IV線に沿う断面図、第５図は第１図のＶ−Ｖ線に沿う断面図、第６図は第１図の洋風便器の部分的な斜視図である。
【００２２】
第１図の通り、洋風便器１の前部上面に便鉢部２が形成されている。この便鉢部２の底部に開口３が形成され、該開口３の下方に図示しないトラップ部が連なっている。該洋風便器１の上面のうち該便鉢部２よりも後方に、便座及び便蓋を取り付けるための挿通孔４、４が設けられている。洋風便器１の上面の挿通孔４、４よりも後方は、図示しないロータンクを載置する載置部５となっている。該便鉢部２の右側（第１図の上側）の側部ｓ１及び左側（第１図の下側）の側部ｓ２は略直線状に前後方向に延在しており、これら側部ｓ１、ｓ２より前側の前部ｆ及びこれら側部ｓ１、ｓ２より後ろ側の後部ｒは略円弧状に延在している。
【００２３】
便鉢２の上部内面周りに導水路１０が形成されている。第１図及び第６図の通り、該導水路１０のうち便鉢２後部側の右寄りの位置に、該導水路１０に洗浄水を供給するための吐水口１１が形成されている。
【００２４】
該導水路１０のうち、吐水口１１から便鉢２の最前部の近傍までは、該導水路１０は上向きの棚部１０ａと、該棚部１０ａの外周から立上する立上部１０ｂと、該立上部１０ｂの上端から便鉢２の内方に突出する棚返し部１０ｃとで構成されている。
【００２５】
該導水路１０のうち、該便鉢２の最前部及びその下流の前部ｆ、側部ｓ２及び後部ｒにあっては、該導水路１０は該棚部１０ａと、該立上部１０ｂとで構成されている。
【００２６】
棚部１０ａは、短手方向に水平であるか、または便鉢の内側ほど低くなっている。また、本実施の形態では、棚部１０ａは長手方向の高さが同一となっている。
【００２７】
このように構成された洋風便器１において、図示しないフラッシュハンドルやフラッシュスイッチが操作されると、図示しないロータンクからディストリビュータを介して洗浄水が洋風便器１の後部内に供給され、さらに吐水口１１から導水路１０内に供給される。該吐水口１１から導水路１０内に供給された洗浄水は、該導水路１０の右側の側部ｓ１、前部ｆ、左側の側部ｓ２及び後部ｒの順で、棚部１０ａの上側を走行する。これにより、便鉢２の上部内面周りに洗浄水が行き渡り、該導水路１０から旋回しながら便鉢２の内面を流下する。この流下する洗浄水によって便鉢２の内面が洗浄される。
【００２８】
ここで、洗浄水が吐水口１１から導水路１０内に供給される際、洗浄水の流れが乱れる。また、導水路１０内のうち吐水口１１付近が最も水量が多い。このため、導水路１０の吐水口１１近傍において、洗浄水は立上部１０ｂに沿って上方に流れ易い。しかしながら、当該箇所には棚返し部１０ｃが設けられているため、上方に流れる洗浄水は該棚返し部１０ｃに跳ね返されることになり、洗浄水が洋風便器１の外側に飛び出ることが防止される。
【００２９】
また、洗浄水は略直線状の側部ｓ１内を流れた後、略円弧状の前部ｆを流れる。この前部ｆは側部ｓ１よりも長手方向の曲率半径が小さいため、該前部ｆの側部ｓ１近傍において、洗浄水に加わる遠心力が大きくなる。この遠心力のため、洗浄水は立上部１０ｂに沿って上方に流れるが、該前部ｆの側部ｓ１近傍の位置にも棚返し部１０ｃが設けられているため、該棚返し部１０ｃによって洗浄水が下方に跳ね返されることになり、これにより洗浄水が洋風便器１の外側に飛び出ることが防止される。
【００３０】
該洗浄水は前部ｆ内を略円弧状に滑らかに走行した後、側部ｓ２及び後部ｒ内を走行する。
【００３１】
なお、導水路１０内を走行する過程において、洗浄水は徐々に導水路１０内から便鉢２の下方に流下するため、導水路１０内の水量は下流に行くに従って減量し、水勢が弱くなる。このため、便鉢２の最前部及びその下流に棚返し部１０ｃを設けなくても、洗浄水が立上部１０ｂに沿って上方に流れて洋風便器１の外側に飛び出ることはない。
【００３２】
本実施の形態の洋風便器１にあっては、導水路１０のうち便鉢２の最前部近傍よりも下流側に棚返し部１０ｃが設けられていないため、清掃時に当該部分の棚部１０ａ及び立上部１０ｂを上方から目視しながら清掃することができ、清掃が容易である。
【００３３】
上記実施の形態では棚返し部１０ｃを中実の板状としたが、第７、８図のように中空にしてもよい。
【００３４】
第７図は棚返し部１０ｄを中空にした導水路１０Ａの縦断面図、第８図は該導水路１０Ａが形成された洋風便器１Ａの縦断面図である。
【００３５】
なお、第７、８図の洋風便器１Ａにあっては、棚返し部１０ｄの下面１０ｕは長手方向にわたり同一高さになっている。このため、導水路１０Ａの清掃が容易である。
【００３６】
但し、第９図の通り、棚返し部１０ｄの下面１０ｕは便鉢２の最前部近傍において便鉢２の前側ほど低くなっていてもよい。この場合、棚返し部１０ｄの下流側近傍において該棚返し部１０ｄの下面１０ｕによって導水路１０Ａ内の洗浄水が下向きに跳ね返されるため、棚返し部１０ｄの下流端よりも下流側において導水路１０Ａから洗浄水が洋風便器１Ａの外側に飛び出ることが確実に防止される。
【００３７】
なお、第１０図の通り、棚返し部１０ｄの下面１０ｕを棚返し部１０ｄの下流側近傍において便鉢２の前側ほど低くし、かつ該棚返し部１０ｄの最も下流側に、下面１０ｕの高さが同一である同一高さ部分１０ｅを設けてもよい。この場合、同一高さ部１０ｅにおいて洗浄水が整流となり、洗浄水が便鉢２の外側に飛び出ることが防止される。
【００３８】
上記実施の形態では導水路の側部ｓ２に棚返し部が設けられていないが、該側部ｓ２に棚返し部が設けられてもよい。
【００３９】
第１１図は導水路の側部ｓ２に棚返し部が設けられた洋風便器の平面図、第１２図は第１１図のVII−VII線に沿う断面図、第１３図は第１１図のVIIIａ−VIIIａ線に沿う断面図、VIIIｂ−VIIIｂ線に沿う断面図である。
【００４０】
第１１〜１３図の洋風便器１Ａは、導水路１０の側部ｓ２にも棚返し部１０ｃを設けたことの他は第１〜６図の洋風便器１と同一であり、第１〜６図と同一符号は同一部分を示している。この洋風便器１Ａは側部ｓ１、ｓ２の両方に棚返し部１０ｃが設けられているため、該棚返し部１０ｃの上面に便座の裏面が当接することにより、便座の安定感がよくなる。
【００４１】
上記実施の形態は本発明の一例であり、本発明は上記実施の形態に限定されない。例えば、棚部のレベルは長手方向にわたり略水平であるが、長手方向の下流側ほど低くなっていてもよい。この場合、吐水口から導水路内に供給された洗浄水を導水路の長手方向下流側まで十分に供給することができる。なお、このように棚部のレベルを下流側ほど低くすると、棚部のレベルが同一の場合と比べて導水路内の下流側において洗浄水の水勢が強くなるが、該下流側において該棚部と便鉢の上縁部との高低差が大きくなるため、洗浄水が立上部を上って洋風便器の外側に飛び出ることは無い。
【図面の簡単な説明】
【００４２】
【図１】実施の形態に係る洋風便器の平面図である。
【図２】第１図のII−II線に沿う断面図である。
【図３】第１図のIII−III線に沿う断面図である。
【図４】第１図のIV−IV線に沿う断面図である。
【図５】第１図のＶ−Ｖ線に沿う断面図である。
【図６】第１図の洋風便器の部分的な斜視図である。
【図７】棚返し部１０ｄを中空にした導水路１０Ａの縦断面図である。
【図８】異なる実施の形態に係る洋風便器の縦断面図である。
【図９】さらに異なる実施の形態に係る洋風便器の縦断面図である。
【図１０】別の実施の形態に係る洋風便器の縦断面図である。
【図１１】さらに別の実施の形態に係る洋風便器の平面図である。
【図１２】第１１図のVII−VII線に沿う断面図である。
【図１３】（ａ）は第１１図のVIIIａ−VIIIａ線に沿う断面図、（ｂ）はVIIIｂ−VIIIｂ線に沿う断面図である。
【符号の説明】
【００４３】
１、１Ａ  洋風便器
２  便鉢
３  開口
１０、１０Ａ  導水路
１０ａ  棚部
１０ｂ  立上部
１０ｃ、１０ｄ  棚返し部
１０ｕ  下面
１１  吐水口
ｓ１、ｓ２  側部
ｆ  前部
ｒ  後部
【図１】
0004518017.tif 000002
【図２】
0004518017.tif 000003
【図３】
0004518017.tif 000004
【図４】
0004518017.tif 000005
【図５】
0004518017.tif 000006
【図６】
0004518017.tif 000007
【図７】
0004518017.tif 000008
【図８】
0004518017.tif 000009
【図９】
0004518017.tif 000010
【図１０】
0004518017.tif 000011
【図１１】
0004518017.tif 000012
【図１２】
0004518017.tif 000013
【図１３】
0004518017.tif 000014